(57)【特許請求の範囲】
【請求項１】
筐体内部に収納された光源ランプと、
筐体正面に設けたライトガイド接続部に接続される内視鏡のライトガイドに対し、前記光源ランプによる照明光を供給する機構と、
前記光源ランプを冷却するための、少なくとも一つのファンと、
を備えた内視鏡用光源装置において、
前記光源ランプを冷却するためのファンの冷却風の方向を変更する方向変更手段を備え、この方向変更手段は、電源スイッチに対して前記光源ランプの輻射熱を遮断するように構成され、さらに前記方向変更手段には、許容される所定温度で前記光源ランプに供給される電源をオフする手段を設けたことを特徴とする内視鏡用光源装置。
【発明の詳細な説明】
【０００１】
【発明の属する技術分野】
本発明は、内視鏡のライトガイドに照明光を供給する内視鏡用光源装置に関する。
【０００２】
【従来の技術】
近年、医療用分野及び工業用分野において、内視鏡が広く用いられるようになった。この内視鏡で生体等の内部の検査部位を検査する場合には、検査部位を照明するために、内視鏡の照明光伝送手段としてのライトガイドに照明光を供給する内視鏡用光源装置が採用される。
【０００３】
一般に内視鏡用光源装置では例えばその筐体内部に収納した光源ランプ（照明ランプ）による照明光を筐体の前面に設けたライトガイド接続部に接続される内視鏡のライトガイドコネクタに供給できるようにすると共に、電源スイッチもそのオン、オフの操作がし易いように筐体前面に設けられている。
【０００４】
【発明が解決しようとする課題】
従来の内視鏡用光源装置は大型であり、大きなスペースを必要としたり、場所を移動するにも手間がかかり、手軽に内視鏡検査を行うことができるものが求められる状況になっている。
このため、内視鏡用光源装置を小さなスペースで済むように、小型化すると、光源ランプと電源スイッチとの距離が近くなり、電源スイッチの耐熱温度を越えないように対策を施す必要がある。
このため、小型化した場合に光源ランプの輻射熱等によって電源スイッチの温度が上昇して劣化させてしまう等の問題があった。
【０００５】
本発明は、上述した点に鑑みてなされたもので、小型化した場合にも、電源スイッチが光源ランプにより発熱してしまうことを有効に防止できる内視鏡用光源装置を提供することを目的としている。
【０００６】
【課題を解決するための手段】
本発明の一態様による内視鏡用光源装置は、筐体内部に収納された光源ランプと、筐体正面に設けたライトガイド接続部に接続される内視鏡のライトガイドに対し、前記光源ランプによる照明光を供給する機構と、前記光源ランプを冷却するための、少なくとも一つのファンと、を備えた内視鏡用光源装置において、
前記光源ランプを冷却するためのファンの冷却風の方向を変更する方向変更手段を備え、この方向変更手段は、電源スイッチに対して前記光源ランプの輻射熱を遮断するように構成され、さらに前記方向変更手段には、許容される所定温度で前記光源ランプに供給される電源をオフする手段を設けている。
【０００７】
【発明の実施の形態】
以下、図面を参照して本発明の実施の形態を説明する。
（第１の実施の形態）
図１ないし図４は本発明の第１の実施の形態に係り、図１は第１の実施の形態の内視鏡用光源装置の外観を示し、図２は図１の内視鏡用光源装置を分解して示し、図３は図１における天井板とランプハウス蓋板を取り外した状態の内視鏡用光源装置を平面図で示し、図４は図２における電源スイッチの裏面側を示す。
【０００８】
図１に示すように本発明の第１の実施の形態の内視鏡用光源装置１は高さが低く左右方向のサイズも小さい外装部材としての筐体２内に、図２に示すように光源ランプ３等を収納している。
【０００９】
この筐体２は底板部とこの底板部の両端を折り曲げて形成した正面板部４ａ及び裏面板部とを有する筐体本体４と、この筐体本体４の上面及び両側面を覆う形状にされた天井板部５とを有し、天井板部５の例えば向かって左側の側面板部６にはランプ交換を行うための開口部７が形成され、この開口部７はネジで固定されるランプ交換扉８により閉塞される。これらは例えば金属製の板部材で形成され、耐熱性及び遮光性が良い。
【００１０】
図１及び図２に示すように筐体２の正面板部４ａの中央付近に図示しない内視鏡のライトガイドコネクタ１１が着脱自在で接続されるライトガイドコネクタ接続部１２が設けられ、またこの正面板部４ａにおけるライトガイドコネクタ接続部１２の左右の位置にそれぞれ電源スイッチ１３と絞り調整摘み１４とが設けられている。
【００１１】
また、筐体内部の前後方向の中央付近には光源ランプ３が取り付けられたランプホルダ１５が向かって左側方にスライド自在で装着されるほぼコ字形状のランプハウス１６が底板部に取り付けられている。このランプハウス１６の前面の中央付近には開口が設けてあり、図２に示すようにランプホルダ１５を所定の装着位置に設定した状態では、この開口にランプホルダ１５に反射鏡１７と共に取り付けたランプ３が露呈する。
【００１２】
このランプハウス１６の開口する上面は蓋板１８をネジで取り付けることにより、ランプハウス１６の上面を閉塞する。この蓋板１８はランプハウス１６の上面の開口部分を閉塞し、さらにランプハウス１６の前面より前方側にまで延出された延出部１９が形成され、光源ランプ３の点灯によりその輻射熱等で天井板部５が加熱されてしまうのを遮蔽する遮蔽板の機能を持つ。なお、ランプハウス１６、ランプホルダ１５、蓋板１８は例えば金属板であり、耐熱性及び遮光性が良く、かつ熱伝達特性も良好である。
【００１３】
光源ランプ３にはランプハウス１６の後部に配置したトランス２１を介して所定の電圧に変換された駆動電源が供給され、点灯した光源ランプ３の照明光が反射鏡１７で反射集光され、その光源ランプ３の前方の照明光路上に配置されたライトガイドコネクタ接続部１２に装着されるライトガイドコネクタ１１の端面に照明光を供給できるようにしている。
【００１４】
また、図３に示すように照明光路中には絞り９が配置され、絞り調整摘み１４を回動操作することによって、絞り９のアームを回動してライトガイドコネクタ１１の端面に供給される照明光を調整できるようにしている。
【００１５】
また、ランプハウス１６における両側方に開口する一方の開口（向かって右側の開口）に対向して光源ランプ３で発生した熱を空冷するために空気を吹き付ける放熱用の第１のファン２３が底板部に固定され、さらにこの第１のファン２３にほぼ隣接して第２のファン２４が取り付けられている。
【００１６】
第１のファン２３はランプハウス１６の一方の側方の開口から他方の側方の開口側に向けて、つまり矢印ａで示すように側方に送風して光源ランプ３で発熱した反射鏡１７の裏面側などを冷却する。この他方の開口側にはランプホルダ１５の側板部１５ａが対向し、送風された空気はこの側板部１５ａに形成した通気口（通風口）２５（図２参照）を経て、さらにその外側に対向するランプ交換扉８に設けた通気口２６を経て筐体２の外部に排出される。
図２等に示すように通気口２５、２６は水平方向に延びるスリット状開口で形成されている。
【００１７】
また、筐体本体４における第１のファン２３の前部側に配置された第２のファン２４はランプハウス１６の前面と正面板部４ａ内面との間の空間を矢印ｂで示すように一方の側方から他方の側方に送風して光源ランプ３の輻射熱等で発熱した反射鏡１７の前面凹部部分、正面板部４ａが光源ランプ３の輻射熱で加熱されるのを防止する遮蔽板（遮熱板）１０等を冷却する。
この遮蔽板１０はランプハウス１６の前面と、正面板部４ａとの間に配置され、正面板部４ａが光源ランプ３の輻射熱で加熱されるのを防止する。この遮蔽板１０は例えば金属板であり、耐熱性及び熱伝導性が良い。
【００１８】
第２のファン２４と対向する他方の側部側には図２に示すように蓋板１８の延出部１９に形成した側板部２７が対向し、送風された空気はこの側板部２７に形成した通気口２８を経て、その外側に対向する側面板部６に設けた通気口２９を経て筐体２の外部に排出される。
【００１９】
なお、図２に示すように第１及び第２のファン２３、２４の外側に対向する一方の側面板部６にも通気口３０が設けてあり、この通気口３０を経て流入した空気が冷却に利用される。
【００２０】
このように本実施の形態では、筐体２の外表面に冷却に用いた空気を排出する通気口２６、２９を設けると共に、その内側に対向配置した側板部１５ａ、２７により光源ランプ３の光を筐体２の外部に漏れないように遮蔽する遮蔽板としても利用している。
【００２１】
また、本実施の形態では小型化したためにこの装置１の電源を投入する電源スイッチ１３がライトガイドコネクタ接続部１２の近くに配置される構造になっているため、電源スイッチ１３が光源ランプ３の輻射熱等によりその許容される温度以上に加熱されるのを防止する加熱防止手段を設けている。
【００２２】
具体的には、図３及び図４に示すように電源スイッチ１３をスイッチカバー３１で覆い光源ランプ３からの輻射熱が電源スイッチ１３に直接当たらないように遮蔽すると共に、さらに光源ランプ３と正面板部４ａとの間に配置した遮蔽板１０をスイッチカバー３１の裏面側に延出して、光源ランプ３の輻射熱がスイッチカバー３１を更に通過して電源スイッチ１３に伝達しないように遮蔽するスイッチ遮蔽部３２を設けている。このスイッチ遮蔽部３２は遮蔽板１０における電源スイッチ１３側の端部を延出し、かつスイッチカバー３１の裏面付近で直角より小さい角度折り曲げて光源ランプ３の輻射熱を遮蔽している。
【００２３】
また、図３から分かるようにこの折り曲げて延出したスイッチ遮蔽部３２には第２のファン２４からの送風された風が斜めに当たり、そのスイッチ遮蔽部３２の端部側の空隙を介して冷却風を側方の空気口から排出できる構造にして、スイッチ遮蔽部３２自身の温度上昇（加熱）を防止する冷却手段を形成している。
【００２４】
つまり、従来では、電源スイッチを光源ランプからの輻射熱が届かないような正面における隅部側に設けたり、光源ランプからの距離が大きいために輻射熱が当たっても電源スイッチが許容される温度以上に上がることは殆ど無かったが、本実施の形態のように、小さなサイズの筐体２の光源装置１では電源スイッチ１３を筐体２の前面に設けた場合には、光源ランプ３からの輻射熱の影響が大きくなるため、その影響を防止する構成にした。
【００２５】
また、本実施の形態では図３に示すようにランプハウス１６の前面中央付近における光源ランプ３が露出する開口の下側に遮蔽板部３３を設けてランプ３の輻射熱が筐体本体４の底部に当たり、筐体本体４の底部側が加熱されるのを防止するようにしている。
【００２６】
このように構成された本実施の形態によれば、小型化して電源スイッチ１３を光源装置１の正面中央付近に設けたライトガイドコネクタ接続部１２に隣接する位置等に設けても電源スイッチ１３に光源ランプ３の輻射熱が当たるのをスイッチカバー３１及びスイッチ遮蔽部３２により防止でき、しかもこのスイッチ遮蔽部３２を第２のファン２４により送風された空気で空冷しているので、電源スイッチ１３が光源ランプ３の輻射熱等で許容される温度以上に加熱されるのを防止することができる。
【００２７】
（第２の実施の形態）
次に本発明の第２の実施の形態を図５及び図６を参照して説明する。図５及び図６は第２の実施の形態における電源スイッチ周辺部を示す。
本実施の形態では例えばスイッチ遮蔽部３２に例えば作動温度９８±２°Ｃの断線性能の温度ヒューズ３４を取り付けている。この温度ヒューズ３４はこの光源装置１を構成する電源スイッチ１３等の電気部品等の許容温度より低い所定温度の熱で断線する特性のヒューズであり、例えば電源スイッチ１３の接点と（通常のヒューズとを介して）直列に接続されてトランス２１の１次巻線に接続されている。
【００２８】
従って、光源ランプ３が点灯している使用中において、この温度ヒューズ３４が所定温度以上に達すると、光源ランプ３には電源が供給されなくなり、消灯する。
また、風向板３５が蓋板１８より延出して設けられ、図６に示すように第２のファン２４より送風された空気がランプハウス１６より正面板部４ａ側を通るようにしている（図６では風向板３５が配置される位置を２点鎖線で示している）。
【００２９】
本実施の形態では光源ランプ３の輻射熱が当たる部分で、かつ空冷手段としての例えば第２のファン２４で正常な状態では確実に空冷される位置にこの温度ヒューズ３４を設けているので、仮に第２のファン２４が故障等して冷却する機能が停止したり、その機能が不十分になったような場合には、この光源ランプ３の輻射熱が当たることにより他の部分よりも先にその輻射熱で温度上昇して温度ヒューズ３４が断線し、他の電気部品等が故障することを未然に防ぐようにしている。
【００３０】
また、風向板３５により、遮蔽板部３３、遮蔽板１０、スイッチ遮蔽部３２、ライトガイドコネクタ１１の効果的な冷却ができる。
その他の構成は第１の実施の形態と同様である。
【００３１】
本実施の形態によれば、第２のファン２４等が故障して筐体内部の温度が上昇したような場合には、温度ヒューズ３４の断線によりさらに温度上昇してしまうことを未然に防止でき、他の電気部品等が熱破壊等することを確実に防止できる。その他は第１の実施の形態と同様の効果を有する。
【００３２】
なお、上述の実施の形態においては遮蔽板１０を延出してスイッチ遮蔽部３２を形成したが、遮蔽板１０にネジ等で遮蔽板等を取付け、この遮蔽板等でスイッチカバー３１或いはスイッチカバー３１を設けない電源スイッチ１３の裏面側を光源ランプ３からの輻射熱などが当たらないようにしても良い。
【００３３】
また、電源スイッチ１３の裏面側にアルミ板等で形成したスイッチカバーで覆い、このスイッチカバーに第２のファン２４からの冷却用空気が当たるようにして電源スイッチ１３の加熱防止手段を形成したものでも良い。また、遮蔽板１０を延出せず遮蔽板１０に温度ヒューズ３４を取り付けるようにして、温度上昇による悪影響をより確実に防止するようにしても良い。
【００３４】
なお、電源スイッチ１３をスイッチカバー３１で覆い、さらにスイッチ遮蔽部３２で遮蔽するような構造にする場合のスイッチ遮蔽としては放熱性の良いアルミ等の金属部材に限らず、黒色の樹脂チューブなどで電源スイッチ１３を覆うようにしても良い。
また、光源ランプ３は、ハロゲンランプの他、キセノンランプ、メタルハライドランプ等の放電管で装置を小型化する場合に本発明は有効である。
【００３５】
［付記］
１．筐体内部に光源ランプを収納し、筐体正面に設けたライトガイド接続部に接続される内視鏡のライトガイドに対し、前記光源ランプによる照明光を供給する内視鏡用光源装置において、
前記筐体正面における前記ライトガイド接続部の周辺に設けた電源スイッチに対し、前記光源ランプにより前記電源スイッチが加熱されるのを防止する加熱防止手段を設けたことを特徴とする内視鏡用光源装置。
【００３６】
２．付記１において、前記加熱防止手段は前記光源ランプと前記電源スイッチとの間に配置され、前記光源ランプの輻射熱を遮蔽する遮蔽板である。
３．付記１において、前記加熱防止手段は前記電源スイッチにおける前記光源ランプ側の部分を覆うスイッチカバーである。
４．付記２において、前記加熱防止手段は前記遮蔽板に対してさらに空冷する空冷手段を有する。
【００３７】
５．付記３において、前記加熱防止手段は前記スイッチカバーに対してさらに空冷する空冷手段を有する。
６．付記４において、前記空冷手段は前記遮蔽板に空気を吹き付けて空冷するファンを有する。
７．付記５において、前記空冷手段は前記スイッチカバーに空気を吹き付けて空冷するファンを有する。
【００３８】
８．付記２において、前記遮蔽板は前記光源ランプにより前記筐体正面が加熱されるのを遮蔽する。
９．付記６において、前記遮蔽板には許容される所定温度で前記光源ランプに供給される電源をオフにする遮断手段が設けてある。
１０．付記９において、前記遮断手段は所定温度で断線する温度ヒューズである。
１１．内視鏡に光源ランプにより照明光を供給する内視鏡用光源装置において、光源ランプと電源スイッチとの間に遮熱手段を設けたことを特徴とする内視鏡用光源装置。
【００３９】
【発明の効果】
以上説明したように本発明によれば、光源ランプを冷却するためのファンの冷却風の方向を変更する手段を有しているので、取り入れ側冷却風の通気口及び冷却ファンと被冷却部及び排気側通気口が一直線上に並ぶ必要が無く、電源スイッチ等の部品の加熱防止対策を施しながら、光源ランプ、電源スイッチ等の各部品の大きさ、形状に合わせて小型化を行うことができる。
また、仮にファンが故障等して冷却する機能が停止又は不十分になった場合でも、所定温度で光源ランプの電源がオフになるので、温度上昇を未然に防止することができ、電気部品の熱による故障を確実に防止することができる。
【図面の簡単な説明】
【図１】本発明の第１の実施の形態の内視鏡用光源装置の外観を示す斜視図。
【図２】図１の内視鏡用光源装置を分解して示す斜視図。
【図３】図１における天井板とランプハウス蓋板を取り去って内視鏡用光源装置を示す平面図。
【図４】図２における電源スイッチの裏面側の構成を示す斜視図。
【図５】本発明の第２の実施の形態における電源スイッチ周辺部の構造を示す斜視図。
【図６】本発明の第２の実施の形態における電源スイッチ周辺部の構造を示す平面図。
【符号の説明】
１…内視鏡用光源装置
２…筐体
３…光源ランプ
４…筐体本体
４ａ…正面板部
５…天井板部
６…側面板部
７…開口部
８…ランプ交換扉
９…絞り
１０…遮蔽板
１１…ライトガイドコネクタ
１２…ライトガイドコネクタ接続部
１３…電源スイッチ
１４…絞り調整摘み
１５…ランプホルダ
１６…ランプハウス
１７…反射鏡
１８…蓋板
１９…延出部
２１…トランス
２３…第１のファン
２４…第２のファン
２５，２６，２８，２９…通気口（通風口）
２７…側板部
３１…予備ランプ
３２…スイッチ遮蔽部
【図１】
0003833833.tif 000002
【図２】
0003833833.tif 000003
【図３】
0003833833.tif 000004
【図４】
0003833833.tif 000005
【図５】
0003833833.tif 000006
【図６】
0003833833.tif 000007